(57)【特許請求の範囲】
【請求項１】
建物の外壁部に形成された開口部に設けられ、前記外壁部との間に介在される補助枠が連結された既設のサッシ枠が取り付けられていた取付枠と、
全周に渡って形成されたフィンが前記取付枠に取り付けられる新設のサッシ枠と、
前記既設のサッシ枠に連結されていた前記補助枠と同じ形状とされ、前記新設のサッシ枠と前記外壁部との間に配置されて前記取付枠に取り付けられ、前記新設のサッシ枠の全周に渡って前記フィンを覆う新設の補助枠と、
前記新設のサッシ枠の前記フィンと前記補助枠との間に配置されて前記新設のサッシ枠の全周を囲う止水部材と、
前記取付枠の周縁部から枠内内方に延設され、屋外側から各々の屋外側の面に前記新設のサッシ枠の前記フィンの各々が取り付けられ、前記新設の補助枠が前記取付枠に取り付けられることで該補助枠により覆われる取付壁部と、
を含むサッシの取付構造。
【請求項２】
建物の外壁部に形成された開口部に設けられた取付枠と、
全周に渡って形成されたフィンが前記取付枠に取り付けられることで前記取付枠に取り付けられるサッシ枠と、
前記サッシ枠と前記外壁部との間に配置されて前記取付枠に取り付けられ、前記サッシ枠の全周に渡って前記フィンを覆う補助枠と、
前記サッシ枠のフィンと前記補助枠との間に配置されて前記サッシ枠の周囲を囲う止水部材と、
前記取付枠の周縁部から枠内内方に延設され、屋外側から各々の屋外側の面に前記サッシ枠の前記フィンの各々が取り付けられ、前記補助枠が前記取付枠に取り付けられることで該補助枠によって覆われる取付壁部と、
を含むサッシの取付構造。
【請求項３】
前記取付枠は、周縁部から枠外方に延設された平坦部が前記開口部周縁において前記外壁部に取り付けられて、前記取付壁部が前記開口部内に配置されている請求項１又は請求項２記載のサッシの取付構造。
【請求項４】
前記止水部材は、複数に分割され、互いに隣接する前記止水部材の端部が重ねられて前記フィンに沿って連続的に配置された請求項１から請求項３の何れか１項記載のサッシの取付構造。
【請求項５】
前記止水部材は、弾性体により形成されて前記取付壁部を覆う補助枠に設けられ、該補助枠が前記取付枠に取り付けられることで、前記取付枠の前記取付壁部の屋外側に配置されて前記取付壁部との間で前記フィンを挟持する請求項１から請求項４の何れか１項記載のサッシの取付構造。
【発明の詳細な説明】
【技術分野】
【０００１】
本発明は、サッシの取付構造に関する。
【背景技術】
【０００２】
近年、建物において断熱性等の向上が望まれており、このために、既設の建物においては、既設のサッシを断熱性の高い高性能なサッシへ交換する要望が多くなっている。
【０００３】
特許文献１には、既設サッシの既設枠に、改装サッシの新設枠を取り付けるようにした改装サッシの取付方法が記載されている。この特許文献１では、既設枠の既設上枠の室外側に設ける上カバー材に、既設枠の開口内からシール材を設けることができるシール目地を有するようにさせている。
【０００４】
また、特許文献２には、既存のサッシ枠を建物躯体から取り外した後に、建物躯体に取り付けられる改装用のサッシが記載されている。特許文献２では、既設壁を切除して既設枠の建物躯体への既設取付部位を露出させて既設枠を建物躯体から取り外し、改装枠の改装取付部位を取り付けている。また、特許文献２では、既設壁を切除した部位をカバー部材により覆うようにしている。
【先行技術文献】
【特許文献】
【０００５】
【特許文献１】特開２０１３−２２４５２１号公報
【特許文献２】特開２０１２−２２９５６７号公報
【発明の概要】
【発明が解決しようとする課題】
【０００６】
ところで、改装サッシの新設枠を既設枠に取り付ける場合、サッシ枠が既設枠と新設枠の２段となるために開口が狭くなり、且つ、断熱性が低下してしまう。また、既設枠を取り外すために外壁を切除する必要が生じると共に、切除した外壁部分を覆うための処理が必要となる。
【０００７】
本発明は上記事実に鑑みてなされたものであり、改装コストを抑えたサッシの取付構造を提供することを目的とする。
【課題を解決するための手段】
【０００８】
上記目的を達成するための第１の態様は、建物の外壁部に形成された開口部に設けられ、前記外壁部との間に介在される補助枠が連結された既設のサッシ枠が取り付けられていた取付枠と、全周に渡って形成されたフィンが前記取付枠に取り付けられた新設のサッシ枠と、前記既設のサッシ枠に連結されていた前記補助枠と同じ形状とされ、前記サッシ枠と前記外壁部との間に配置されて前記取付枠に取り付けられ、前記サッシ枠の全周に渡って前記フィンを覆う新設の補助枠と、前記新設のサッシ枠の前記フィンと前記補助枠との間に配置されて前記新設のサッシ枠の全周を囲う止水部材と、を含む。
【０００９】
第１の態様によれば、建物の外壁部に形成した開口部に取付枠が設けられる。この取付枠には、外周部に補助枠が連結されたサッシ枠が既設のサッシ枠として取り付けられている。既設のサッシ枠は、外壁部との間が補助枠によって覆われている。
【００１０】
近年、サッシの断熱性の向上が望まれており、断熱性が向上されたサッシは、高さ及び幅が同じでも、断熱性が向上された障子（ガラス戸）を設けるためにサッシ枠の奥行きが広くなっている。ここから新設のサッシとしては、断熱性が向上されることでサッシ枠の奥行きが広くなっている。
【００１１】
このようなサッシ枠を取付枠に取り付ける際、既設のサッシ枠及びサッシ枠に連結された補助枠を取付枠から取り外す。この後、サッシ枠の周囲に形成されているフィンを取付枠に取り付けることで新設のサッシを取付枠に取り付ける。
【００１２】
また、新設のサッシ枠のみを取付枠に取り付けた場合、サッシ枠と外壁部との間に隙間が残る。この隙間には、既設のサッシ枠に設けた補助枠と同じ形状の補助枠を用い、この補助枠をサッシ枠と外壁部との間に、サッシ枠のフィンを覆うように配置して、取付枠に取り付ける。これにより、新設のサッシ枠を設けた場合でも、既設のサッシ枠を設けている場合と同等の外観が得られる。
【００１３】
さらに、補助枠とサッシ枠のフィンとの間に止水部材を設ける。止水部材は、サッシ枠の周囲を囲うように設けることで、サッシ枠と補助枠とを連結して取り付けたのと同等以上の防水性が得られる。
【００１４】
さらに、補助枠は、鋳型を用いて形成されるが、外形形状が異なることで異なる鋳型が必要となるが、外形形状が同等となる同じ鋳型で形成した補助枠を用いることができ、低コスト化が可能となると共に、資材管理が容易となる。
【００１５】
第２の態様は、建物の外壁部に形成された開口部に設けられた取付枠と、全周に渡って形成されたフィンが前記取付枠に取り付けられることで前記取付枠に取り付けられたサッシ枠と、前記サッシ枠と前記外壁部との間に配置されて前記取付枠に取り付けられ、前記サッシ枠の全周に渡って前記フィンを覆う補助枠と、前記サッシ枠のフィンと前記補助枠との間に配置されて前記サッシ枠の周囲を囲う止水部材と、を含む。
【００１６】
第２の態様においては、建物の新設等において取付枠へのサッシ枠の取り付けに適用する。即ち、サッシ枠に補助枠を連結して用いるようにした場合、奥行きの異なるサッシ枠については、サッシ枠の奥行きに合わせた補助枠が必要となる。
【００１７】
これに対して、補助枠を取付枠に取り付けるようにすることで、奥行きの異なるサッシ枠の間でも奥行きの狭いサッシ枠に対応する補助枠を、奥行きの広いサッシ枠に用いることが可能となるので、サッシの取り付けコストを抑制でき、また、資材管理も容易となる。
【００１８】
第３の態様は、前記止水部材は、弾性体により形成され、前記取付枠に取り付けられた前記補助枠により圧縮変形されている。
【００１９】
第３の態様によれば、補助枠により止水部材を圧縮して、サッシ枠の周囲に配置する。これにより、止水部材を圧縮しない場合と比べて高い防水性が得られる。
【００２０】
第４の態様は、前記止水部材は、複数に分割され、互いに隣接する前記止水部材の端部が重ねられて前記サッシ枠の周囲に連続的に配置されている。
【００２１】
第４の態様によれば、複数本の止水部材を、隣接する止水部材の端部が重ねるように配置して、サッシ枠の全周に渡って設ける。これにより、１本の止水部材をサッシ枠の全周に回して設ける場合に比べ、施工が容易となる。また、サッシ枠の開口サイズ（高さ寸法及び幅寸法）に関わらず予め定められた長さ（定尺）の止水部材を用いて容易に施工することができる。
【００２２】
第５の態様は、前記止水部材は、前記サッシ枠の縦方向に対で配置された第１止水部材と、前記サッシ枠の上側に横方向に配置されて両端部が前記第１止水部材に対し、前記サッシ枠の開口幅方向の内方側に重ねられた第２止水部材と、前記サッシ枠の下側に横方向に配置されて両端部が前記第１止水部材に対し、前記サッシ枠の開口幅方向の内方側に重ねられた第３止水部材と、を含む。
【００２３】
第５の態様によれば、第１止水部材をサッシ枠の縦方向に沿って対で配置し、サッシ枠の上側に第２止水部材を配置し、サッシ枠の下側に第３止水部材を配置する共に、第２及び第３止水部材の両端部の各々を第１止水部材の端部に重ねる。この際、第１止水部材に対し、第２止水部材及び第３止水部材をサッシ枠の開口幅方向の内方側に重ねる。これにより、サッシ枠と補助枠との間には、高い防水性が確保され、第１止水部材の外方側からサッシ枠側に水滴が入り込むのが確実に抑制される。
【発明の効果】
【００２４】
以上説明したように本発明によれば、奥行きが狭いサッシ枠に合わせた補助枠を、奥行きの広いサッシ枠に設けることができるので、サッシの改装コストを抑えることができる、という効果がある。
【図面の簡単な説明】
【００２５】
【図１】本実施の形態に係るサッシ枠の要部の上下方向に沿う概略断面図である。
【図２】図１に示すサッシ枠の要部の幅方向に沿う概略断面図である。
【図３】取付枠と止水材を示す概略斜視図である。
【図４】既存のサッシの要部の上下方向に沿う概略断面図である。
【図５】図３に示す既存のサッシ枠の要部の幅方向に沿う概略断面図である。
【発明を実施するための形態】
【００２６】
以下、図面を参照して本発明の一実施の形態を詳細に説明する。
図１及び図２には、住宅などの建物において、既存のサッシのサッシ枠に替えて取り付けられる改装用のサッシのサッシ枠を示している。また、図４及び図５には、建物に取り付けられた既存のサッシのサッシ枠を示している。なお、以下の説明では、建物の屋外側を矢印Ｏで示し、建物の屋外側から見たサッシ枠の上方側を矢印Ｕで示し、サッシ枠の上下方向と直交する方向を幅方向と言い幅方向の右側を矢印Ｒ、左側を矢印Ｌで示している。また、図１及び図４には、サッシ枠の上下方向に沿って切断した要部の概略断面を示し、図２及び図５には、サッシ枠の幅方向に切断した一方の概略断面を示している。
【００２７】
先ず、図１及び図２を参照しながらサッシが取り付けられる建物１０を説明する。なお、図４及び図５に対し、図１及び図２と同等の機能部品については、図１及び図２と同一の符号を付与して、詳細な説明を省略する。
【００２８】
建物１０は、躯体１２を備え、建物１０の周囲の躯体１２に外壁部１４が設けられている。これにより、建物１０は、周囲（屋外側）が外壁部１４に囲われている。なお、躯体１２は、複数の柱及び梁により組まれており、本実施の形態では、図２に躯体１２を形成する一つの柱１２Ａを図示し、他の柱及び梁の図示を省略している。
【００２９】
外壁部１４は、建物１０の屋外側に配置された外壁パネル１６、及び建物１０の屋内側（屋外側とは反対方向側）に配置された内装パネル１８を含んで構成されている。建物１０は、外壁部１４内に外壁フレーム２０及び内装フレーム２２が設けられており、外壁パネル１６は、外壁フレーム２０に取り付けられ、内装パネル１８は、内装フレーム２２に取り付けられている。また、建物１０は、外壁部１４の外壁パネル１６と内装パネル１８との間の空間に壁内断熱材２４が設けられている。
【００３０】
外壁部１４には、出入口及び窓等が設けられる開口部２６が形成されている。開口部２６は、外壁パネル１６及び内装パネル１８の各々を貫通するように形成されており、建物１０は、外壁部１４に形成された開口部２６に、出入口及び窓等を形成するサッシが取り付けられる。
【００３１】
建物１０には、開口部２６が形成された外壁部１４に、内装フレーム２２として、開口部２６の上縁側に上内装フレーム２２Ａが設けられ、開口部２６の下縁側に下内装フレーム２２Ｂが設けられている。また、建物１０には、開口部２６の屋内側に縁枠部２８が設けられている。縁枠部２８は、上縁枠２８Ａと下縁枠２８Ｂとが上下に配置され、上縁枠２８Ａと下縁枠２８Ｂとの間に、一対の横縁枠２８Ｃが設けられている。縁枠部２８は、一対の横縁枠２８Ｃの上端が上縁枠２８Ａに連結され、下端が下縁枠２８Ｂに連結されて矩形形状に形成されている。また、縁枠部２８は、上縁枠２８Ａが上内装フレーム２２Ａに連結され、下縁枠２８Ｂが下内装フレーム２２Ｂに連結されて外壁部１４に取り付けられている。
【００３２】
一方、建物１０には、外壁部１４において開口部２６の内部周縁に対応する部位に、取付枠３０が設けられている。取付枠３０は、後述するサッシ（サッシ枠）の取り付けに用いられる。
【００３３】
図３には、取付枠３０を示している。取付枠３０は、開口部２６の上方側に取り付けられた上枠３２、下方側に配置された下枠３４、及び幅方向の両側に対で配置された側枠３６を備えている。取付枠３０は、一対の側枠３６が、建物１０の躯体１２に連結され（図３では図示省略）、一対の側枠３６の間に、上枠３２及び下枠３４が掛け渡されて連結されて矩形形状に形成されている。
【００３４】
図１に示すように、上枠３２及び下枠３４は、帯状の板材の幅方向が折曲されて断面形状が２つのＬ字形状を連結した形状に形成されている。即ち、上枠３２は、一端側の平坦部３２Ａと他端側の平坦部３２Ｂとが、互いに直交する方向へ向けられている。また、上枠３２は、平坦部３２Ａから平坦部３２Ｂに平行となるようにかげられた水平部３２Ｃと、平坦部３２Ｂから平坦部３２Ａに平行となるように曲げられた壁部３２Ｄとが連結された形状となっている。また、下枠３４は、一端側の平坦部３４Ａと他端側の平坦部３４Ｂとが、互いに直交する方向へ向けられている。また、下枠３４は、平坦部３４Ａから平坦部３４Ｂに平行となるように曲げられた水平部３４Ｃと、平坦部３４Ｂから平坦部３４Ａに平行となるように曲げられた壁部３４Ｄとが連結された形状となっている。
【００３５】
図２に示すように、側枠３６は、帯状の板材の幅方向が中間部で曲げられて断面がＬ字形状となるように形成されている。即ち、側枠３６は、一端側の平坦部３６Ａと他端側の平坦部３６Ｂとが、互いに直交する方向へ向けられている。また、側枠３６には、平坦部３６Ｂに支持部材３８が取り付けられている。支持部材３８は、側枠３６の平坦部３６Ｂの先端側に、側枠３６の長手方向に沿って設けられ、平面部３８Ａの両側に側枠３６の平坦部３６Ｂへ向けられた脚部３８Ｂ、３８Ｃが対で設けられ、脚部３８Ｂ、３８Ｃの各々の先端が側枠３６の平坦部３６Ｂに接合されている。
【００３６】
図１に示すように、取付枠３０の上枠３２は、平坦部３２Ｂが屋内側へ向けられた状態で、先端が上方へ向けられて外壁パネル１６の屋内側に配置された平坦部３２Ａが外壁フレーム２０に取り付けられている。また、取付枠３０の下枠３４は、平坦部３４Ｂが上枠３２の平坦部３２Ｂに対向されて屋内側へ向けられた状態で、先端が下方へ向けられて外壁パネル１６の屋内側に配置された平坦部３４Ａが外壁フレーム２０に取り付けられている。また、図２に示すように、取付枠３０の側枠３６は、平坦部３６Ｂが屋内側へ向けられた状態で、先端が開口部２６の幅方向の外方へ向けられて外壁パネル１６の屋内側に配置された平坦部３６Ａが外壁フレーム２０に取り付けられている。
【００３７】
これにより、取付枠３０は、上枠３２と下枠３４とが互いに対向されると共に、一対の側枠３６が各々に設けられた支持部材３８を互いに対向させた状態で開口部２６の内周面を形成するように外壁部１４に配置されている。取付枠３０は、建物１０の開口部２６の内部周縁に取り付けられることで、上枠３２の壁部３２Ｄ、下枠３４の壁部３４Ｄ及び側枠３６に設けられた支持部材３８の脚部３８Ｂの屋外側の面が、同一面上となるように組み付けられている（図３参照）。
【００３８】
次に、建物１０の開口部２６に設けられるサッシ４０を説明する。サッシ４０は、サッシ枠４２及びサッシ枠４２に設ける図示しないガラス戸などの障子により形成される。サッシ４０のサッシ枠４２は、高さＨ及び幅Ｗの組み合わせが予め定められ市販品（規格サイズの市販品）が用いられている。また、サッシ枠４２は、取り付けられる障子の枚数及び障子に用いられるガラスの枚数によって奥行きＤが異なる。サッシ枠４２は、取り付けられる障子の枚数等に応じて奥行きＤが定まり、二重ガラス（ペアガラス）よりも断熱性が高い三重ガラス（トリプルガラス）のガラス戸（障子）が用いられる場合に、奥行きＤが大きくなる。
【００３９】
図１及び図２に示すように、サッシ枠４２は、上横枠４４、下横枠４６及び一対の縦枠４８を備える。サッシ枠４２は、一対の縦枠４８の上端に上横枠４４が連結され、下端に下横枠４６が連結されて矩形形状に形成されている。
【００４０】
図１に示すように、上横枠４４は、水平方向に延在されたベース部５０を備え、ベース部５０の下横枠４６側（下方側）にレール部５２が延在され、ベース部５０のレール部５２とは反対側（上方側）にフィン５４が延在されている。また、下横枠４６は、水平方向に延在されたベース部５６を備え、ベース部５６の上横枠４４側にレール部５８が延在されている。また、下横枠４６には、ベース部５６のレール部５８とは反対側（下方側）に支持部６０が設けられ、支持部６０から下方へ向けてフィン６２が延在されている。さらに、図２に示すように、縦枠４８は、鉛直方向に延在されたベース部６４を備え、ベース部６４の外方（サッシ枠４２の幅方向の外方）にフィン６６が延在されている。
【００４１】
図１に示すように、サッシ枠４２は、上横枠４４のベース部５０が、取付枠３０の上枠３２に対向され、下横枠４６のベース部５６の支持部６０が取付枠３０の下枠３４に対向される。また、図２に示すように、縦枠４８の各々のベース部６４が取付枠３０の側枠３６に対向される。さらに、サッシ枠４２は、上横枠４４のレール部５２と下横枠４６のレール部５８との間に取り付けられたガラス戸（障子）が、レール部５２、５８に沿って移動可能とされている。
【００４２】
一方、図１及び図２に示すように、開口部２６に取り付けられたサッシ枠４２と外壁パネル１６との間には、補助枠としてのアタッチメント７０が取り付けられる。アタッチメント７０は、上アタッチメント（以下、上アタッチという）７２、下アタッチメント（以下、下アタッチという）７４、及び一対のサイドアタッチメント（以下、サイドアタッチという）７６を含む。
【００４３】
一般にサッシ枠４２は、市販品が用いられるが、アタッチメント７０は、サッシ枠４２とは別に用意される。ここから、住宅メーカやサッシの施工業者は、自社で使用するアタッチメント７０について鋳型を作成して、作成した鋳型を用いて金属成型するようにしている。
【００４４】
アタッチメント７０は、一対のサイドアタッチ７６の上端部が上アタッチ７２により連結され、一対のサイドアタッチ７６の下端部が下アタッチ７４により連結されることで矩形形状に形成される。図１に示すように、アタッチメント７０は、上アタッチ７２がサッシ枠４２の上横枠４４と外壁パネル１６との間に配置され、下アタッチ７４がサッシ枠４２の下横枠４６に形成された支持部６０と外壁パネル１６との間に配置される。また、図２に示すように、アタッチメント７０は、一対のサイドアタッチ７６の各々が、サッシ枠４２と外壁パネル１６との間に配置される。
【００４５】
図１に示すように、アタッチメント７０の上アタッチ７２には、サッシ枠４２の上横枠４４と外壁パネル１６との間に配置される基部７８を備える。上アタッチ７２には、上横枠４４のベース部５０の外方側端部に対向するカバーフィン７８Ａ、上横枠４４のフィン５４に対向可能とされたフィン７８Ｂ、及び取付枠３０の上枠３２の平坦部３２Ａに対向する固定フィン７８Ｃの各々が基部７８から延在されている。
【００４６】
下アタッチ７４は、サッシ枠４２の下横枠４６の支持部材３８と外壁パネル１６との間に配置される基部８０を備える。下アタッチ７４には、下横枠４６の支持部６０のフィン６２に対向可能とされたフィン８０Ａ、及び取付枠３０の下枠３４の平坦部３４Ａに対向された固定フィン８０Ｂの各々が基部８０から延在されている。
【００４７】
サイドアタッチ７６は、上下方向に延在された基板８２を備え、基板８２の屋外側の端部にサッシ枠４２の縦枠４８のベース部６４の屋外側端部に対向するカバーフィン８２Ａが延在され、基板８２の屋内側の端部にフィン６６に対向可能とされたフィン８２Ｂが延在されている。また、サイドアタッチ７６には、取付枠３０の側枠３６の平坦部３６Ａに対向される固定フィン８２Ｃが基板８２から延在され、外壁パネル１６の開口部２６側端面に対向される壁部８２Ｄが固定フィン８２Ｃの先端部から延在されている。
【００４８】
図１に示すように、アタッチメント７０は、上アタッチ７２の屋外側に水切り８４が設けられ、下アタッチ７４の屋外側に水切り８６が設けられる。また、図２に示すように、アタッチメント７０は、サイドアタッチ７６のカバーフィン８２Ａと壁部８２Ｄとの間に掛け渡されることでカバーフィン８２Ａと壁部８２Ｄとの間の開口を閉塞するカバー部８８が設けられる。水切り８４、８６及びカバー部８８は、スナップフィット等によりアタッチメント７０に取り付けられる。
【００４９】
これにより、サッシ４０は、水切り８４、８６及びカバー部８８が取り付けられたアタッチメント７０がサッシ枠４２の周囲に取り付けられることで、サッシ枠４２と外壁パネル１６との間の隙間がアタッチメント７０により埋められる。
【００５０】
ここで、図４及び図５を既設のサッシ４０Ｅの取り付けを説明し、次に、図１から図３を参照しながら既設のサッシに替えたサッシ４０の取り付けを説明する。なお、既設のサッシ４０Ｅ及び既設のサッシ４０Ｅの取り付けに用いるアタッチメント７０Ｅの機能部品については、サッシ４０及びアタッチメント７０の機能部品の符号に符号Ｅを付与している。また、取付枠３０は、既設のサッシ４０Ｅのサッシ枠４２Ｅの高さＨ及び幅Ｗに合わせられて形成されている。
【００５１】
図４及び図５に示すように、本実施の形態では、アタッチメント７０Ｅが取り付けられて一体化されたサッシ枠４２Ｅを取付枠３０に取り付ける。アタッチメント７０Ｅの上アタッチ７２Ｅは、水平方向に延在させたシールゴム９０Ｅを介して上横枠４４Ｅのベース部５０Ｅの屋外側端部にカバーフィン７８ＡＥが対向され、フィン７８ＢＥが上横枠４４Ｅのフィン５４Ｅに重ねられる。また、上アタッチ７２Ｅは、フィン７８ＢＥが上横枠４４Ｅのフィン５４Ｅへネジ９２Ｅにより締結されて、サッシ枠４２Ｅの上横枠４４Ｅに連結される。
【００５２】
アタッチメント７０Ｅのサイドアタッチ７６Ｅは、上下方向に延設させたシールゴム９０Ｅを介して縦枠４８Ｅのベース部６４Ｅの屋外側端部にカバーフィン８２ＡＥが対向され、フィン８２ＢＥと縦枠４８Ｅのフィン６６Ｅとが重ねられる。また、サイドアタッチ７６Ｅは、ねじ９２Ｅによりフィン８２ＢＥが縦枠４８Ｅのフィン６６Ｅに締結されてサッシ枠４２Ｅの縦枠４８Ｅに連結される。
【００５３】
アタッチメント７０Ｅの下アタッチ７４Ｅは、フィン８０ＡＥが下横枠４６Ｅの支持部６０Ｅに設けられたフィン６２Ｅに重ねられる。また、下アタッチ７４Ｅは、ねじ９２Ｅによりフィン８０ＡＥがフィン６２Ｅに締結されてサッシ枠４２Ｅの下横枠４６Ｅに連結される。これにより、アタッチメント７０Ｅは、サッシ枠４２Ｅの周囲を囲うように連結されて一体化される。
【００５４】
アタッチメント７０Ｅが一体化されたサッシ枠４２Ｅは、上横枠４４Ｅのベース部５０Ｅが、取付枠３０の上枠３２の平坦部３２Ｂに対向され、縦枠４８Ｅのベース部６４Ｅが、取付枠３０の側枠３６に設けている支持部材３８の平面部３８Ａに対向されるように取付枠３０内に配置される。また、サッシ枠４２Ｅは、下横枠４６Ｅのベース部５６Ｅに形成された支持部６０Ｅが取付枠３０の下枠３４の平坦部３４Ｂに対向され、下横枠４６Ｅが支持部６０Ｅを介して下枠３４に支持される。
【００５５】
サッシ枠４２Ｅに一体化されたアタッチメント７０Ｅは、上アタッチ７２Ｅの固定フィン７８ＣＥが、シート状の止水材９４Ｅを介して上枠３２の平坦部３２Ａに重ねられ、サイドアタッチ７６Ｅの固定フィン８２ＣＥが、止水材９４Ｅを介して側枠３６の平坦部３６Ａに重ねられる。また、アタッチメント７０Ｅは、下アタッチ７４Ｅの固定フィン８０ＢＥが、止水材９４Ｅを介して下枠３４の平坦部３４Ａに重ねられる。
【００５６】
ここで、サッシ枠４２Ｅは、上横枠４４Ｅのベース部５０Ｅがセルフドリリングねじ等のねじ９６Ｅにより上枠３２の平坦部３２Ｂに締結され、上アタッチ７２Ｅの固定フィン７８ＣＥがネジ９６Ｅにより上枠３２の平坦部３２Ａに締結されて固定される。また、サッシ枠４２Ｅは、下アタッチ７４Ｅの固定フィン８０ＢＥがネジ９６Ｅにより下枠３４の平坦部３４Ａに締結されて固定される。さらに、サッシ枠４２Ｅは、ねじ９６Ｅにより縦枠４８Ｅのベース部６４Ｅが側枠３６に設けられている支持部材３８の平面部３８Ａに締結され、サイドアタッチ７６Ｅの固定フィン８２Ｃがネジ９６Ｅにより側枠３６の平坦部３６Ａに締結されて固定される。この後、アタッチメント７０Ｅには、水切り８４Ｅ、８６Ｅ及びカバー部８８Ｅが取り付けられる。これにより、アタッチメント７０Ｅが一体化されたサッシ枠４２Ｅが取付枠３０に固定される。
【００５７】
また、アタッチメント７０Ｅは、上アタッチ７２Ｅの水切り８４Ｅと外壁パネル１６との間の隙間、下アタッチ７４Ｅと外壁パネル１６との間の隙間、及びサイドアタッチ７６Ｅの壁部８２ＤＥと外壁パネル１６との間の隙間の各々にバッカー１００Ｅが嵌め込まれてコーキング等のシール材１０２Ｅが充填される。
【００５８】
これにより、サッシ４０Ｅは、サッシ枠４２Ｅと外壁パネル１６との間がアタッチメント７０Ｅにより閉塞され、アタッチメント７０Ｅと外壁パネル１６との間の目地埋め及び止水処理が施される。また、サッシ枠４２Ｅは、外壁パネル１６の屋外側の表面からのアタッチメント７０Ｅの水切り８４Ｅ、８６Ｅの先端の屋外側への突出量（出幅Ｄout）が予め定めた量となるように、外壁部１４の開口部２６に取り付けられる。
【００５９】
なお、サッシ枠４２Ｅには、上横枠４４Ｅの屋内側（縁枠部２８側）に見切り４４ＡＥが設けられ、下横枠４６Ｅの屋内側に見切り４６ＡＥが設けられると共に、縦枠４８Ｅの屋内側に見切り４８ＡＥが設けられている。サッシ枠４２Ｅは、見切り４４ＡＥ、４６ＡＥ、４８ＡＥが縁枠部２８の上縁枠２８Ａ、下縁枠２８Ｂ及び横縁枠２８Ｃに重ねられる。
【００６０】
次に、図１から図３を参照して、サッシ４０Ｅに替えてサッシ４０を取り付ける改装を説明する。サッシ４０は、サッシ４０Ｅを取付枠３０から取り外して行われる。サッシ４０Ｅの取り外しは、ねじ９６Ｅ等による取付枠３０への締結を解除することにより行うことができる。即ち、サッシ枠４２Ｅは、サッシ枠４２Ｅと取付枠３０との間及びアタッチメント７０Ｅと取付枠３０との間のネジ９６Ｅの各々を外すことで取付枠３０から取り外される。
【００６１】
なお、サッシ枠４２Ｅは、取付枠３０に取り付ける場合、サッシ枠４２Ｅの周囲に突設されている上横枠４４Ｅのフィン５４Ｅ、縦枠４８Ｅのフィン６２Ｅ、及び下横枠４６Ｅの支持部６０Ｅのフィン６２Ｅの各々をネジにより取付枠３０へ締結し、この後、上横枠４４Ｅのフィン５４、縦枠４８Ｅのフィン６２、及び下横枠４６Ｅのフィン６２Ｅの各々を覆うように外壁パネル１６を取り付ける方法がある。この場合、サッシ４０Ｅのサッシ枠４２Ｅを取付枠３０から取り外すときには、上横枠４４Ｅのフィン５４Ｅ、縦枠４８Ｅのフィン６２Ｅ及び下横枠４６Ｅのフィン６６Ｅを覆う外壁パネル１６を切除する必要がある。これに対して、サッシ枠４２Ｅは、アタッチメント７０Ｅを取り付けて一体化されて取付枠３０に取り付けられていることで、取付枠３０から外すときに外壁パネル１６を切除する必要がないようにされている。
【００６２】
次に、図１から図３を参照して、サッシ枠４２の取り付けを説明する。
サッシ４０Ｅに替えて用いるサッシ４０としては、サッシ４０Ｅのサッシ枠４２Ｅと同じサイズの規格品のサッシ枠４２が用いられる。即ち、サッシ枠４２は、サッシ枠４２Ｅと高さＨ及び幅Ｗが同じサイズが適用される。また、本実施の形態では、サッシ４０Ｅよりも断熱性の高い所謂高性能のサッシ４０が用いられる。サッシの断熱性は、ガラス戸（障子）のガラスの枚数を多くすることで断熱性が高くなり、二重ガラスのサッシよりも三重ガラスのサッシの断熱性が高い。このような断熱性の相違は、サッシ枠の奥行きＤに影響し、サッシ枠４２は、奥行きＤがサッシ枠４２Ｅの奥行きＤｅより大きくなっている（Ｄ＞Ｄｅ）。
【００６３】
サッシ４０（サッシ枠４２）は、アタッチメント７０Ｅと同じサイズで新品のアタッチメント７０が用いられる。また、サッシ枠４２は、アタッチメント７０の水切り８４，８６の出幅Ｄoutが、サッシ枠４２Ｅに用いたアタッチメント７０Ｅの水切り８４Ｅ、８６Ｅの出幅と同等になるように取付枠３０に取り付けられる。
【００６４】
サッシ枠４２は、アタッチメント７０が取り付けられていない状態で、屋外側から取付枠３０の枠内に配置される。サッシ枠４２は、取付枠３０の枠内に配置される際、上横枠４４のフィン５４が壁部３２Ｄに重ねられ、下横枠４６の支持部６０に設けたフィン６２が下枠３４の壁部３４Ｄに重ねられる。また、サッシ枠４２は、縦枠４８のフィン６６が側枠３６に設けている支持部材３８の脚部３８Ｂに重ねられると共に、縦枠４８のベース部６４が支持部材３８の平面部３８Ａに重ねられる。
【００６５】
また、サッシ枠４２は、シート状の止水材９４が重ねられた上横枠４４のフィン５４がネジ９６により上枠３２の壁部３２Ｄに締結され、止水材９４が重ねられた下横枠４６の支持部６０に設けたフィン６２がねじ９６により下枠３４の壁部３４Ｄに締結されて固定される。また、サッシ枠４２は、止水材９４が重ねられた縦枠４８のフィン６６がねじ９６により側枠３６に設けている支持部材３８の脚部３８Ｂに締結されると共に、止水材９４が重ねられた縦枠４８のベース部６４がねじ９６により支持部材３８の平面部３８Ａに締結されて固定される。
【００６６】
これにより、サッシ枠４２は、サッシ枠４２Ｅよりも奥行きが大きくなった分だけサッシ枠４２Ｅよりも屋内側で取付枠３０に取り付けられる。なお、サッシ枠４２は、上横枠４４のフィン５４が上枠３２の水平部３２Ｃに干渉する場合、フィン５４の先端部が切除されることで取付枠３０（上枠３２の水平部３２Ｃ）との干渉防止が図られる。また、上横枠４４の見切り４４Ａ、下横枠４６の見切り４６Ａ及び縦枠４８の見切り４８Ａが縁枠部２８の上縁枠２８Ａ、下縁枠２８Ｂ及び横縁枠２８Ｃに干渉する場合は、縁枠部２８の上縁枠２８Ａ、下縁枠２８Ｂ及び横縁枠２８Ｃを切り欠くことで干渉防止が図られる。
【００６７】
アタッチメント７０は、取付枠３０に固定されたサッシ枠４２と外壁パネル１６との間に配置される。アタッチメント７０の上アタッチ７２は、カバーフィン７８Ａが水平方向に延在されたシールゴム９０を介して上横枠４４のベース部５０の屋外側の端部に当接され、フィン７８Ｂが上横枠４４のフィン５４に対向され、固定フィン７８Ｃが止水材９４を介して上横枠４４の平坦部４４Ａに重ねられて、サッシ枠４２と外壁パネル１６との間に配置される。
【００６８】
サイドアタッチ７６は、カバーフィン８２Ａが上下方向に延設されたシールゴム９０を介して縦枠４８のベース部６４の屋外側端部に当接され、固定フィン８２Ｃが止水材９４を介して側枠３６の平坦部３６Ａに重ねられ、フィン８２Ｂが側枠３６の支持部材３８に締結された縦枠４８のフィン６６に対向されて、サッシ枠４２と外壁パネル１６との間に配置される。また、下アタッチ７４は、フィン８０Ａが下枠３４の平坦部３４Ａに締結された下横枠４６のフィン６２に対向され、固定フィン８０Ｂが止水材９４を介して下枠３４の平坦部３４Ａに重ねられて、サッシ枠４２と外壁パネル１６との間に配置される。
【００６９】
また、取付枠３０に固定されたサッシ枠４２とアタッチメント７０との間には、サッシ枠４２の全周に渡って長尺状の止水部材１０４が配置される。止水部材１０４は、上アタッチ７２のフィン７８Ｂと上枠３２の壁部３２Ｄに締結された上横枠４４のフィン５４との間、サイドアタッチ７６のフィン８２Ｂと側枠３６の支持部材３８に締結された縦枠４８のフィン６６との間、及び下アタッチ７４のフィン８０Ｂと下枠３４の壁部３４Ｄに締結された下横枠４６のフィン６２との間に配置される。
【００７０】
この止水部材１０４としては、弾性変形可能なエチレン・プロピレン・ジエン・ゴムの連泡体であるＥＰＤＭ連泡スポンジを用いている。図３に示すように、止水部材１０４は、長尺で断面矩形状に形成され、サッシ枠４２（図３では図示省略）の全周に渡って連続するように配置される。なお、図３では、サッシ枠４２の図示を省略しているが、止水部材１０４が配置される上横枠４４のフィン５４には、上枠３２の壁部３２Ｄが対応し、縦枠４８のフィン６６には、側枠３６の支持部材３８の脚部３８Ｂが対応し、下横枠４６のフィン６２には、下枠３４の壁部３４Ｄが対応する。
【００７１】
本実施の形態では、上横枠４４及び下横枠４６の長さより長くした第２止水部材としての止水部材１０４Ａ、及び第３止水部材としての止水部材１０４Ｂ用いている。また、本実施の形態では、縦枠４８の長さに合わせた第１止水部材としての止水部材１０４Ｃを用いている。止水部材１０４Ｃは、縦枠４８（側枠３６の支持部材３８）に沿って設けられる。また、止水部材１０４Ａは、上横枠４４（上枠３２の壁部３２Ｄ）に沿って設けられ、止水部材１０４Ｂは、下横枠４６（下枠３４の壁部３４Ｄ）に沿って設けられる。また、止水部材１０４Ａは、両端部が下方へ向けて曲げられ、止水部材１０４Ｃの上端部に重ねられ、止水部材１０４Ｂは、両端部が上方へ向けて曲げられ、止水部材１０４Ｃの下端部に重ねられている。なお、本実施の形態では、止水部材１０４Ａと止水部材１０４Ｃ及び止水部材１０４Ｂと止水部材１０４Ｃとの重なり量Ｌ＝５０mmとしている。また、止水部材１０４Ａ、１０４Ｂは、止水部材１０４Ｃと同等の長さのものを用いても良い。即ち、同等の長さの４本の止水部材１０４を用いて、サッシ枠４２の周囲に配置するようにしても良い。
【００７２】
さらに、止水部材１０４Ａ、１０４Ｂの各々は、両端部が、止水部材１０４Ｃに対してサッシ枠４２の開口幅方向の内方側となるように重ね合わせられている。これにより、止水部材１０４は、止水部材１０４Ａ、１０４Ｂ、１０４Ｃがサッシ枠４２の全周に渡って連続されている。
【００７３】
また、止水部材１０４は、幅寸法Ｓｗ及び高さ寸法Ｓｈのうち、高さ寸法Ｓｈが、上アタッチ７２の７８Ｂと上横枠４４のフィン５４との間隔（下アタッチ７４のフィン８０Ａと下横枠４６のフィン６２との間隔及びサイドアタッチ７６のフィン８２Ｂと縦枠４８のフィン６６との間隔）ｄに基づき、この間隔ｄよりも大きくされている。また、止水部材１０４は、幅寸法Ｓｗとして、ねじ９６の頭部を覆うことが可能な大きさとしている。本実施の形態では、間隔ｄ＝１０mmに対して、高さ寸法Ｓｈ＝２０mm、幅寸法Ｓｗ＝１５mmとしている。
【００７４】
止水部材１０４は、サッシ枠４２のフィン５４、６２、６６に跨り、且つねじ９６の頭部を覆うように予め貼付されていても良い。また、止水部材１０４は、予めアタッチメントの上アタッチ７２のフィン７８Ｂ、下アタッチ７４のフィン８０Ａ及びサイドアタッチ７６のフィン８２Ｂに貼付されてもよい。
【００７５】
アタッチメント７０は、止水部材１０４が配置された状態で取付枠３０に固定される。この際、上アタッチ７２は、固定フィン７８Ｃがねじ９６により上枠３２の平坦部３４Ａへ締結されて固定される。また、下アタッチ７４は、固定フィン８０Ｂがねじ９６により下枠３４の平坦部３４Ａに締結されて固定される。さらに、サイドアタッチ７６は、固定フィン８２Ｃがサッシ枠４２の幅方向の２箇所で、ねじ９６により側枠３６の平坦部３６Ａに締結されて固定される。これにより、サイドアタッチ７６は、止水部材１０４Ｃの弾性力によりフィン８２Ｂが浮き上がってしまうのが防止されて取付枠３０に確実に固定される。
【００７６】
止水部材１０４は、上アタッチ７２、下アタッチ７４及びサイドアタッチ７６の各々が、ねじ９６により取付枠３０に固定されることで圧縮されてサッシ枠４２の周囲を緊密に閉塞する。
【００７７】
この後、サッシ枠４２は、上アタッチ７２に水切り８４が取り付けられ、下アタッチ７４に水切り８６が取り付けられると共に、サイドアタッチ７６の各々にカバー部８８が取り付けられる。さらに、サッシ枠４２は、上アタッチ７２の水切り８４と外壁パネル１６との間の隙間、下アタッチ７４と外壁パネル１６との間の隙間、及びサイドアタッチ７６の壁部８２Ｄと外壁パネル１６との間の隙間の各々にバッカー１００が嵌め込まれてコーキング等のシール材１０２が充填されて止水処理が施される。
【００７８】
これにより、サッシ枠４２Ｅに替えて取り付けられたサッシ枠４２は、サッシ枠４２Ｅを新品としたのと同等の仕上がりとなる。即ち、サッシ枠４２Ｅに用いられたアタッチメント７０Ｅと同じ外観形状及び寸法のアタッチメント７０を用いるので、奥行きＤの異なるサッシ枠４２であっても外観（屋外からの見た目）に相違が生じるのを抑制することができる。
【００７９】
また、サッシ枠４２に用いるアタッチメントとしては、サッシ枠４２の奥行きＤに合わせたアタッチメントを用いることができるが、このようなアタッチメントを作成する場合、アタッチメント７０Ｅとは、異なる鋳型を用いる必要があり、サッシ４０の交換コストに影響する。
【００８０】
これに対して、アタッチメント７０は、アタッチメント７０Ｅと同じ鋳型を用いることができるので、サッシ４０の取り付けや交換コストの抑制が図られると共に資材管理が容易となる。
【００８１】
また、サッシ枠４２は、アタッチメント７０との間に、全周に渡って止水部材１０４が設けられていることで、屋内側へ雨水などが浸み込む漏水を防止することができる。この際、本実施の形態では、複数本の止水部材１０４を用いて各々の止水部材１０４の端部を重ね合わせることで、止水部材１０４の取り付けが容易となるようにしている。また、本実施の形態では、弾性を有する止水部材１０４を用い、アタッチメント７０により圧縮するようにしているので、サッシ枠４２とアタッチメント７０との間を緊密に閉塞することができる。さらに、本実施の形態では、止水部材１０４Ｃに対し、止水部材１０４Ａ、１０４Ｂの各々の端部をサッシ枠４２の開口幅方向の内側に重ねるようにしているので、止水部材１０４Ａ、１０４Ｂと止水部材１０４Ｃとの重なり部分からの漏水を効率的に防止することができる。特に、本実施の形態では、サッシ枠４２の下部側となる止水部材１０４Ｃの端部を、止水部材１０４Ｂの端部に対してサッシ枠４２の幅方向の外方側に重ねるので、止水部材１０４Ｃの外面を伝って流れ落ちる水滴が止水部材１０４Ｂと止水部材１０４Ｃとの重なり部分からサッシ枠４２側に入り込むのを確実に防止することができる。
【００８２】
なお、本実施の形態では、既設のサッシ４０Ｅからサッシ４０に交換する改装を例に説明したが、サッシ４０の新設に適用することもできる。即ち、同一のサイズのアタッチメント７０を、奥行きの異なるサッシ４０のサッシ枠４２の取り付けに適用することができ、これにより、サッシ４０の取り付けに用いるアタッチメント７０の低コスト化が図られると共に、資材管理が容易となる。
【符号の説明】
【００８３】
１０    建物
１４    外壁部
１６    外壁パネル
１８    内装パネル
２６    開口部
３０    取付枠
３２    上枠
３４    下枠
３６    側枠
３８    支持部材
４０    サッシ
４０Ｅ    サッシ
４２    サッシ枠（新設のサッシ枠）
４２Ｅ    サッシ枠（既設のサッシ枠）
４４    上横枠
４６    下横枠
４８    縦枠
７０    アタッチメント（補助枠）
７０Ｅ    アタッチメント（既設のサッシ枠に連結された補助枠）
７２    上アタッチ
７４    下アタッチ
４６    サイドアタッチ
８４、８６    水切り
８８    カバー部
１０４（１０４Ａ、１０４Ｂ、１０４Ｃ）    止水部材（第１〜第３止水部材）
【図１】
0006661350.tif 000002
【図２】
0006661350.tif 000003
【図３】
0006661350.tif 000004
【図４】
0006661350.tif 000005
【図５】
0006661350.tif 000006